(57)【要約】【課題】収納カセットを介して釣銭機と貨幣入出金機との間で貨幣を移行させる貨幣処理システムにおいて、収納カセットを交換すべき時期を効率良く把握すること。【解決手段】収納カセット３００はＩＣタグ３０４を有し、収納カセット３００の使用実績を示す使用実績データがＩＣタグ３０４に格納されている。釣銭機２００は、売上金となる紙幣を収納カセット３００に収納した場合に（１）、ＩＣタグ３０４の使用実績データを更新する（２）。その後、収納カセット３００が運搬され（３）、貨幣入出金機１００に装着される。貨幣入出金機１００は、装着された収納カセット３００から紙幣を入金し（４）、ＩＣタグ３０４から使用実績データを読み出し（５）、入金の処理に係る更新を行った上で、収納カセット３００の交換の要否を判定する（６）。【選択図】図１
2018013892.tif 000002
【特許請求の範囲】
【請求項１】
商品の精算処理に応じた貨幣の収納処理及び釣銭となる貨幣の払出処理を行う釣銭機と、少なくとも前記釣銭機内の売上金を収納する貨幣処理装置とを有し、前記釣銭機及び前記貨幣処理装置にそれぞれ装着可能な収納カセットを介して、前記釣銭機と前記貨幣処理装置との間で貨幣の授受を行う貨幣処理システムであって、
前記収納カセットは、少なくとも不揮発性の記憶部を有し、
前記釣銭機は、
前記収納カセットが装着される場合又は取り外される場合に、前記記憶部に記憶された収納カセットに係る使用実績情報を更新する第１の更新部を少なくとも有し、
前記貨幣処理装置は、
前記収納カセットの寿命に係る寿命情報を記憶する寿命情報記憶部と、
前記収納カセットが装着される場合又は取り外される場合に、前記記憶部に記憶された収納カセットに係る使用実績情報を更新する第２の更新部と、
前記使用実績情報と前記寿命情報に基づいて、所定の報知を行う報知部と
を有することを特徴とする貨幣処理システム。
【請求項２】
商品の精算処理に応じた貨幣の収納処理及び釣銭となる貨幣の払出処理を行う釣銭機と、少なくとも前記釣銭機内の売上金を収納する貨幣処理装置とを有し、前記釣銭機及び前記貨幣処理装置にそれぞれ装着可能な収納カセットを介して、前記釣銭機と前記貨幣処理装置との間で貨幣の授受を行う貨幣処理システムであって、
前記収納カセットは、少なくとも不揮発性の記憶部を有し、
前記貨幣処理装置は、
前記収納カセットが装着される場合又は取り外される場合に、前記記憶部に記憶された収納カセットに係る使用実績情報を更新する第１の更新部を少なくとも有し、
前記釣銭機は、
前記収納カセットの寿命に係る寿命情報を記憶する寿命情報記憶部と、
前記収納カセットが装着される場合又は取り外される場合に、前記記憶部に記憶された収納カセットに係る使用実績情報を更新する第２の更新部と、
前記使用実績情報と前記寿命情報に基づいて、所定の報知を行う報知部と
を有することを特徴とする貨幣処理システム。
【請求項３】
前記記憶部は、前記収納カセットに貼付されたＩＣタグに設けられた不揮発性の記憶部であることを特徴とする請求項１又は２に記載の貨幣処理システム。
【請求項４】
前記使用実績情報は、前記ＩＣタグの記憶部への書込回数を含み、前記寿命情報は、前記ＩＣタグの記憶部に書き込み可能な上限回数を含むことを特徴とする請求項３に記載の貨幣処理システム。
【請求項５】
前記使用実績情報は、前記収納カセットへの貨幣の総搬送枚数、前記収納カセット内の搬送ローラの総回転数及び／又は前記収納カセットの総着脱回数を含み、前記寿命情報は、前記収納カセットへ搬送可能な貨幣の上限搬送枚数、前記収納カセット内の搬送ローラの上限回転数及び／又は前記収納カセットを着脱する上限回数を含むことを特徴とする請求項１〜４のいずれか一つに記載の貨幣処理システム。
【請求項６】
前記報知部は、前記使用実績情報に含まれる使用実績が、前記寿命情報に含まれる上限値に対する所定の割合に達した場合に、所定の報知を行うことを特徴とする請求項１〜５のいずれか一つに記載の貨幣処理システム。
【請求項７】
前記貨幣処理装置又は前記釣銭機は、
所定の管理装置から前記寿命情報を取得して、前記寿命情報記憶部に格納する寿命情報取得部をさらに備えたことを特徴とする請求項１〜６のいずれか一つに記載の貨幣処理システム。
【請求項８】
前記貨幣処理装置又は前記釣銭機は、
複数の収納カセットの使用実績情報をそれぞれ記憶する使用実績情報記憶部と、
前記使用実績情報記憶部に記憶された各収納カセットの使用実績情報のうち、使用実績の少ない収納カセットを特定する特定部とをさらに備え、
前記報知部は、
前記使用実績情報に含まれる使用実績が前記寿命情報に含まれる上限値に対する所定の割合に達した場合に、前記特定部により特定された使用実績の少ない収納カセットと入れ替えるよう報知する
ことを特徴とする請求項６又は７に記載の貨幣処理システム。
【請求項９】
前記使用実績情報記憶部は、各釣銭機に対応付けられていない予備カセットを含む複数の収納カセットの使用実績情報をそれぞれ記憶することを特徴とする請求項８に記載の貨幣処理システム。
【請求項１０】
商品の精算処理に応じた貨幣の収納処理及び釣銭となる貨幣の払出処理を行う釣銭機と、少なくとも前記釣銭機内の売上金を収納する貨幣処理装置と、所定の管理装置とを有し、前記釣銭機及び前記貨幣処理装置にそれぞれ装着可能な収納カセットを介して、前記釣銭機と前記貨幣処理装置との間で貨幣の授受を行う貨幣処理システムであって、
前記貨幣処理装置又は前記釣銭機は、
前記収納カセットが装着される場合又は取り外される場合に、当該収納カセットに設けられた不揮発性の記憶部に記憶された該収納カセットに係る使用実績情報を更新する更新部と、
前記所定の管理装置に対して、前記更新部により更新された使用実績情報を含む判定依頼を行う判定依頼部と、
前記管理装置から通知された判定結果に基づいて、所定の報知を行う報知部と
を有し、
前記管理装置は、
前記収納カセットの寿命に係る寿命情報を記憶する寿命情報記憶部と、
前記貨幣処理装置又は前記釣銭機からの判定依頼に含まれる使用実績情報と前記寿命情報とに基づいて、前記収納カセットの使用制限に関する判定を行う判定部と、
前記判定部による判定結果を前記貨幣処理装置又は前記釣銭機に通知する判定結果通知部と
を有することを特徴とする貨幣処理システム。
【請求項１１】
商品の精算処理に応じた貨幣の収納処理及び釣銭となる貨幣の払出処理を行う釣銭機と、少なくとも前記釣銭機内の売上金を収納する貨幣処理装置と、所定の管理装置とを有し、前記釣銭機及び前記貨幣処理装置にそれぞれ装着可能な収納カセットを介して、前記釣銭機と前記貨幣処理装置との間で貨幣の授受を行う貨幣処理システムであって、
前記貨幣処理装置又は前記釣銭機は、
前記収納カセットが装着される場合又は取り外される場合に、当該収納カセットに設けられた不揮発性の記憶部に記憶されたカセット識別情報を前記管理装置に通知する通知部と、
前記管理装置から通知された判定結果に基づいて、所定の報知を行う報知部と
を有し、
前記管理装置は、
前記収納カセットの寿命に係る寿命情報を記憶する寿命情報記憶部と、
前記収納カセットに係る使用実績情報を収納カセットのカセット識別情報に対応付けて記憶する使用実績情報記憶部と、
前記貨幣処理装置又は前記釣銭機から通知されたカセット識別情報に基づいて前記使用実績情報記憶部に記憶された使用実績情報を更新する更新部と、
前記使用実績情報記憶部に記憶された使用実績情報と前記寿命情報とに基づいて、前記収納カセットの使用制限に関する判定を行う判定部と、
前記判定部による判定結果を前記貨幣処理装置又は前記釣銭機に通知する判定結果通知部と
を有することを特徴とする貨幣処理システム。
【請求項１２】
商品の精算処理に応じた貨幣の収納処理及び釣銭となる貨幣の払出処理を行う釣銭機と、少なくとも前記釣銭機内の売上金を収納する貨幣処理装置とを有し、前記釣銭機及び前記貨幣処理装置にそれぞれ装着可能な収納カセットを介して、前記釣銭機と前記貨幣処理装置との間で貨幣の授受を行う貨幣処理システムの貨幣処理方法であって、
前記貨幣処理装置が、前記収納カセットの寿命に係る寿命情報を寿命情報記憶部に格納する格納ステップと、
前記釣銭機が、前記収納カセットが装着される場合又は取り外される場合に、前記収納カセットに設けられた不揮発性の記憶部に記憶された収納カセットに係る使用実績情報を更新する第１の更新ステップと、
前記貨幣処理装置が、前記収納カセットが装着される場合又は取り外される場合に、前記記憶部に記憶された収納カセットに係る使用実績情報を更新する第２の更新ステップと、
前記貨幣処理装置が、前記使用実績情報と前記寿命情報に基づいて、所定の報知を行う報知ステップと
を含んだことを特徴とする貨幣処理方法。
【請求項１３】
商品の精算処理に応じた貨幣の収納処理及び釣銭となる貨幣の払出処理を行う釣銭機と、少なくとも前記釣銭機内の売上金を収納する貨幣処理装置とを有し、前記釣銭機及び前記貨幣処理装置にそれぞれ装着可能な収納カセットを介して、前記釣銭機と前記貨幣処理装置との間で貨幣の授受を行う貨幣処理システムの貨幣処理方法であって、
前記釣銭機が、前記収納カセットの寿命に係る寿命情報を寿命情報記憶部に格納する格納ステップと、
前記貨幣処理装置が、前記収納カセットが装着される場合又は取り外される場合に、前記収納カセットに設けられた不揮発性の記憶部に記憶された収納カセットに係る使用実績情報を更新する第１の更新ステップと、
前記釣銭機が、前記収納カセットが装着される場合又は取り外される場合に、前記記憶部に記憶された収納カセットに係る使用実績情報を更新する第２の更新ステップと、
前記釣銭機が、前記使用実績情報と前記寿命情報に基づいて、所定の報知を行う報知ステップと
を含んだことを特徴とする貨幣処理方法。
【発明の詳細な説明】
【技術分野】
【０００１】
この発明は、収納カセットを介して釣銭機と貨幣入出金機との間で貨幣を移行させる貨幣処理システム及び貨幣処理方法に関し、特に、収納カセットを交換すべき時期を効率良く把握することができる貨幣処理システム及び貨幣処理方法に関する。
【背景技術】
【０００２】
従来、スーパーマーケットやコンビニエンスストア等の商業施設の店舗には、商品棚が設置されるフロント領域と、顧客が立ち入ることができないバックヤード領域が存在する。
【０００３】
そして、フロント領域の精算所（以下、単に「レジ」と言う）には、ＰＯＳ（Point Of Sales）端末及び釣銭機が設置され、商品と引き換えに顧客からレジ担当者に手渡された貨幣の入金処理を行うとともに、釣銭としての貨幣の出金処理を行っている。一方、店舗のバックヤード領域には、貨幣入出金機が設置され、この貨幣入出金機を用いて、釣銭機から回収された売上金としての貨幣を入金処理し、釣銭機に準備されるべき釣銭準備金としての貨幣を出金処理する。
【０００４】
従来、かかる釣銭機及び貨幣入出金機を組み合わせた各種の貨幣処理システムが知られている。例えば、特許文献１には、少なくとも１台の釣銭機と、釣銭機から回収された貨幣の入金処理を行う貨幣入出金機（現金処理装置）と、釣銭機に保有された金種毎の釣銭用貨幣の在高枚数情報、釣銭機における金種毎の釣銭必要枚数情報及び貨幣入出金機における入金額情報を管理する現金データ管理装置とを備えた現金管理システムが開示されている。
【０００５】
かかる特許文献１によれば、釣銭機の売上金を回収する場合には、レジ担当者は、売上金が移行された収納カセットを釣銭機から取り外し、取り外した収納カセットを貨幣入出金機に装着し、収納カセット内の売上金を貨幣入出金機に収納することになる。また、釣銭機に釣銭準備金を補充する場合には、釣銭準備金となる貨幣が移行された収納カセットを貨幣入出金機から取り外し、釣銭機に収納カセットを装着して収納カセット内の釣銭準備金が補充される。
【先行技術文献】
【特許文献】
【０００６】
【特許文献１】特許第５１２５１３６号
【発明の概要】
【発明が解決しようとする課題】
【０００７】
しかしながら、この収納カセットにも寿命があるため、同じ収納カセットを繰り返し使用すると、障害を引き起こすおそれがある。収納カセットには、収納カセット自体の寿命、収納カセットに付されたＩＣタグの書込回数の制限等の制約条件が設けられているためである。特に、店舗に配設された複数のレジのうちの頻繁に顧客が並ぶレジでは、収納カセットの使用頻度が高くなるため、思わぬ障害を引き起こす可能性がある。
【０００８】
このため、店舗では、定期的に収納カセットを新たな収納カセットに交換する必要があるが、使用頻度の少ない収納カセットを使用頻度の高い収納カセットと一括で交換したのでは、十分使用できる収納カセットを十分に使用しないことになり、効率的ではない。このため、各収納カセットを交換すべき時期をいかにして把握するかが重要な課題となっている。
【０００９】
本発明は、上記従来技術の課題を解決するためになされたものであって、収納カセットを交換すべき時期を効率良く把握することができる貨幣処理システム及び貨幣処理方法を提供することを目的とする。
【課題を解決するための手段】
【００１０】
上述した課題を解決し、目的を達成するため、本発明は、商品の精算処理に応じた貨幣の収納処理及び釣銭となる貨幣の払出処理を行う釣銭機と、少なくとも前記釣銭機内の売上金を収納する貨幣処理装置とを有し、前記釣銭機及び前記貨幣処理装置にそれぞれ装着可能な収納カセットを介して、前記釣銭機と前記貨幣処理装置との間で貨幣の授受を行う貨幣処理システムであって、前記収納カセットは、少なくとも不揮発性の記憶部を有し、前記釣銭機は、前記収納カセットが装着される場合又は取り外される場合に、前記記憶部に記憶された収納カセットに係る使用実績情報を更新する第１の更新部を少なくとも有し、前記貨幣処理装置は、前記収納カセットの寿命に係る寿命情報を記憶する寿命情報記憶部と、前記収納カセットが装着される場合又は取り外される場合に、前記記憶部に記憶された収納カセットに係る使用実績情報を更新する第２の更新部と、前記使用実績情報と前記寿命情報に基づいて、所定の報知を行う報知部とを有することを特徴とする。
【００１１】
また、本発明は、商品の精算処理に応じた貨幣の収納処理及び釣銭となる貨幣の払出処理を行う釣銭機と、少なくとも前記釣銭機内の売上金を収納する貨幣処理装置とを有し、前記釣銭機及び前記貨幣処理装置にそれぞれ装着可能な収納カセットを介して、前記釣銭機と前記貨幣処理装置との間で貨幣の授受を行う貨幣処理システムであって、前記収納カセットは、少なくとも不揮発性の記憶部を有し、前記貨幣処理装置は、前記収納カセットが装着される場合又は取り外される場合に、前記記憶部に記憶された収納カセットに係る使用実績情報を更新する第１の更新部を少なくとも有し、前記釣銭機は、前記収納カセットの寿命に係る寿命情報を記憶する寿命情報記憶部と、前記収納カセットが装着される場合又は取り外される場合に、前記記憶部に記憶された収納カセットに係る使用実績情報を更新する第２の更新部と、前記使用実績情報と前記寿命情報に基づいて、所定の報知を行う報知部とを有することを特徴とする。
【００１２】
また、本発明は、上記の発明において、前記記憶部は、前記収納カセットに貼付されたＩＣタグに設けられた不揮発性の記憶部であることを特徴とする。
【００１３】
また、本発明は、上記の発明において、前記使用実績情報は、前記ＩＣタグの記憶部への書込回数を含み、前記寿命情報は、前記ＩＣタグの記憶部に書き込み可能な上限回数を含むことを特徴とする。
【００１４】
また、本発明は、上記の発明において、前記使用実績情報は、前記収納カセットへの貨幣の総搬送枚数、前記収納カセット内の搬送ローラの総回転数及び／又は前記収納カセットの総着脱回数を含み、前記寿命情報は、前記収納カセットへ搬送可能な貨幣の上限搬送枚数、前記収納カセット内の搬送ローラの上限回転数及び／又は前記収納カセットを着脱する上限回数を含むことを特徴とする。
【００１５】
また、本発明は、上記の発明において、前記報知部は、前記使用実績情報に含まれる使用実績が、前記寿命情報に含まれる上限値に対する所定の割合に達した場合に、所定の報知を行うことを特徴とする。
【００１６】
また、本発明は、上記の発明において、前記貨幣処理装置又は前記釣銭機は、所定の管理装置から前記寿命情報を取得して、前記寿命情報記憶部に格納する寿命情報取得部をさらに備えたことを特徴とする。
【００１７】
また、本発明は、上記の発明において、前記貨幣処理装置又は前記釣銭機は、複数の収納カセットの使用実績情報をそれぞれ記憶する使用実績情報記憶部と、前記使用実績情報記憶部に記憶された各収納カセットの使用実績情報のうち、使用実績の少ない収納カセットを特定する特定部とをさらに備え、前記報知部は、前記使用実績情報に含まれる使用実績が前記寿命情報に含まれる上限値に対する所定の割合に達した場合に、前記特定部により特定された使用実績の少ない収納カセットと入れ替えるよう報知することを特徴とする。
【００１８】
また、本発明は、上記の発明において、前記使用実績情報記憶部は、各釣銭機に対応付けられていない予備カセットを含む複数の収納カセットの使用実績情報をそれぞれ記憶することを特徴とする。
【００１９】
また、本発明は、商品の精算処理に応じた貨幣の収納処理及び釣銭となる貨幣の払出処理を行う釣銭機と、少なくとも前記釣銭機内の売上金を収納する貨幣処理装置と、所定の管理装置とを有し、前記釣銭機及び前記貨幣処理装置にそれぞれ装着可能な収納カセットを介して、前記釣銭機と前記貨幣処理装置との間で貨幣の授受を行う貨幣処理システムであって、前記貨幣処理装置又は前記釣銭機は、前記収納カセットが装着される場合又は取り外される場合に、当該収納カセットに設けられた不揮発性の記憶部に記憶された該収納カセットに係る使用実績情報を更新する更新部と、前記所定の管理装置に対して、前記更新部により更新された使用実績情報を含む判定依頼を行う判定依頼部と、前記管理装置から通知された判定結果に基づいて、所定の報知を行う報知部とを有し、前記管理装置は、前記収納カセットの寿命に係る寿命情報を記憶する寿命情報記憶部と、前記貨幣処理装置又は前記釣銭機からの判定依頼に含まれる使用実績情報と前記寿命情報とに基づいて、前記収納カセットの使用制限に関する判定を行う判定部と、前記判定部による判定結果を前記貨幣処理装置又は前記釣銭機に通知する判定結果通知部とを有することを特徴とする。
【００２０】
また、本発明は、商品の精算処理に応じた貨幣の収納処理及び釣銭となる貨幣の払出処理を行う釣銭機と、少なくとも前記釣銭機内の売上金を収納する貨幣処理装置と、所定の管理装置とを有し、前記釣銭機及び前記貨幣処理装置にそれぞれ装着可能な収納カセットを介して、前記釣銭機と前記貨幣処理装置との間で貨幣の授受を行う貨幣処理システムであって、前記貨幣処理装置又は前記釣銭機は、前記収納カセットが装着される場合又は取り外される場合に、当該収納カセットに設けられた不揮発性の記憶部に記憶されたカセット識別情報を前記管理装置に通知する通知部と、前記管理装置から通知された判定結果に基づいて、所定の報知を行う報知部とを有し、前記管理装置は、前記収納カセットの寿命に係る寿命情報を記憶する寿命情報記憶部と、前記収納カセットに係る使用実績情報を収納カセットのカセット識別情報に対応付けて記憶する使用実績情報記憶部と、前記貨幣処理装置又は前記釣銭機から通知されたカセット識別情報に基づいて前記使用実績情報記憶部に記憶された使用実績情報を更新する更新部と、前記使用実績情報記憶部に記憶された使用実績情報と前記寿命情報とに基づいて、前記収納カセットの使用制限に関する判定を行う判定部と、前記判定部による判定結果を前記貨幣処理装置又は前記釣銭機に通知する判定結果通知部とを有することを特徴とする。
【００２１】
また、本発明は、商品の精算処理に応じた貨幣の収納処理及び釣銭となる貨幣の払出処理を行う釣銭機と、少なくとも前記釣銭機内の売上金を収納する貨幣処理装置とを有し、前記釣銭機及び前記貨幣処理装置にそれぞれ装着可能な収納カセットを介して、前記釣銭機と前記貨幣処理装置との間で貨幣の授受を行う貨幣処理システムの貨幣処理方法であって、前記貨幣処理装置が、前記収納カセットの寿命に係る寿命情報を寿命情報記憶部に格納する格納ステップと、前記釣銭機が、前記収納カセットが装着される場合又は取り外される場合に、前記収納カセットに設けられた不揮発性の記憶部に記憶された収納カセットに係る使用実績情報を更新する第１の更新ステップと、前記貨幣処理装置が、前記収納カセットが装着される場合又は取り外される場合に、前記記憶部に記憶された収納カセットに係る使用実績情報を更新する第２の更新ステップと、前記貨幣処理装置が、前記使用実績情報と前記寿命情報に基づいて、所定の報知を行う報知ステップとを含んだことを特徴とする。
【００２２】
また、本発明は、商品の精算処理に応じた貨幣の収納処理及び釣銭となる貨幣の払出処理を行う釣銭機と、少なくとも前記釣銭機内の売上金を収納する貨幣処理装置とを有し、前記釣銭機及び前記貨幣処理装置にそれぞれ装着可能な収納カセットを介して、前記釣銭機と前記貨幣処理装置との間で貨幣の授受を行う貨幣処理システムの貨幣処理方法であって、前記釣銭機が、前記収納カセットの寿命に係る寿命情報を寿命情報記憶部に格納する格納ステップと、前記貨幣処理装置が、前記収納カセットが装着される場合又は取り外される場合に、前記収納カセットに設けられた不揮発性の記憶部に記憶された収納カセットに係る使用実績情報を更新する第１の更新ステップと、前記釣銭機が、前記収納カセットが装着される場合又は取り外される場合に、前記記憶部に記憶された収納カセットに係る使用実績情報を更新する第２の更新ステップと、前記釣銭機が、前記使用実績情報と前記寿命情報に基づいて、所定の報知を行う報知ステップとを含んだことを特徴とする。
【発明の効果】
【００２３】
本発明によれば、収納カセットを介して釣銭機と貨幣入出金機との間で貨幣を移行させる貨幣処理システムにおいて、収納カセットを交換すべき時期を効率良く把握することができる。
【図面の簡単な説明】
【００２４】
【図１】図１は、本実施例に係る貨幣処理システムの概念を説明するための説明図である。
【図２】図２は、貨幣入出金機の外観を示す斜視図である。
【図３】図３は、図２に示した貨幣入出金機における紙幣処理ユニットの内部構成を示す図である。
【図４】図４は、図２に示した貨幣入出金機における硬貨処理ユニットの内部構成を示す図である。
【図５】図５は、図２に示した貨幣入出金機の機能ブロック図である。
【図６】図６は、閾値データ及びカセット管理データの一例を説明する説明図である。
【図７】図７は、貨幣処理システムにおける釣銭機及びＰＯＳレジスタの外観を示す斜視図である。
【図８】図８は、図７に示した釣銭機における紙幣処理ユニットの内部構成を示す図である。
【図９】図９は、図７に示した釣銭機における硬貨処理ユニットの内部構成を示す図である。
【図１０】図１０は、図７に示した釣銭機及びＰＯＳレジスタの機能ブロック図である。
【図１１】図１１は、図１に示した収納カセットの外観を示す斜視図である。
【図１２】図１２は、ＩＣタグに書き込まれるＩＣタグデータの一例を説明する説明図である。
【図１３】図１３は、貨幣処理システムの動作の説明図である。
【図１４】図１４は、貨幣入出金機の処理手順を示すフローチャートである。
【図１５】図１５は、カセット交換処理の処理手順を示すフローチャートである。
【図１６】図１６は、カセット交換処理における画面例の説明図である。
【図１７】図１７は、釣銭機が使用実績に基づいて収納カセットの交換の要否を判定する構成の説明図である。
【図１８】図１８は、閾値データを管理サーバが保持する構成の説明図である。
【図１９】図１９は、閾値データの保持と収納カセットの交換の要否の判定を管理サーバが行う構成の説明図である。
【図２０】図２０は、閾値データ及び使用実績データに係る処理を管理サーバが行う構成の説明図である。
【発明を実施するための形態】
【００２５】
以下、添付図面を参照して、本発明に係る貨幣処理システム及び貨幣処理方法の好適な実施例を詳細に説明する。
【実施例】
【００２６】
＜貨幣処理システムの概念＞
まず、本実施例に係る貨幣処理システムの概念について説明する。図１は、本実施例に係る貨幣処理システムの概念を説明するための説明図である。図１に示すように、この貨幣処理システムは、釣銭機２００と貨幣入出金機１００とを有する。
【００２７】
釣銭機２００は、スーパーマーケットやコンビニエンスストア等の商業施設の店舗において、商品棚が設置されるフロント領域のレジに設置され、商品と引き換えに顧客からレジ担当者に手渡された貨幣の入金処理を行うとともに、釣銭としての貨幣の出金処理を行う装置である。
【００２８】
貨幣入出金機１００は、店舗のバックヤード領域に設置され、釣銭機２００から回収された売上金の入金処理を行うとともに、釣銭機２００に補充されるべき釣銭準備金の出金処理を行う貨幣処理装置である。
【００２９】
釣銭機２００及び貨幣入出金機１００は、それぞれ収納カセット３００を装着することが可能である。担当者が釣銭機２００から売上金を回収する場合には、釣銭機２００が収納カセット３００に売上金としての紙幣を収納した後、収納カセット３００を取り外し、取り外した収納カセット３００を担当者が持参して貨幣入出金機１００の場所に移動する。その後、収納カセット３００を貨幣入出金機１００に装着すると、貨幣入出金機１００が収納カセット３００から紙幣を繰り出して入金処理する。また、釣銭機２００に釣銭準備金を補充する場合には、貨幣入出金機１００が収納カセット３００に釣銭準備金としての紙幣を収納した後、収納カセット３００を取り外し、取り外した収納カセット３００を担当者が持参して釣銭機２００の場所に移動する。その後、収納カセット３００を釣銭機２００に装着すると、釣銭機２００が収納カセット３００から紙幣を繰り出して入金処理する。
【００３０】
収納カセット３００には、不揮発性の記憶部を有するＩＣ（Integrated Circuit）タグ３０４が付設されている。貨幣入出金機１００及び釣銭機２００は、ＩＣタグ３０４へのデータの書き込みと、ＩＣタグ３０４からのデータの読み出しが可能であり、収納カセット３００に紙幣を収納する場合には収納した紙幣の金種及び数量を示す紙幣量データをＩＣタグ３０４に書き込む。そして、収納カセット３００から紙幣を繰り出した場合にはＩＣタグ３０４から紙幣数量データを読み出し、繰り出した紙幣の金種及び数量と一致するか否かを判定する。
【００３１】
さらに、釣銭機２００及び貨幣入出金機１００は、収納カセット３００の使用の実績を示す使用実績データをＩＣタグ３０４に書き込む。また、貨幣入出金機１００は、ＩＣタグ３０４から使用実績データを読み出して、収納カセット３００の交換が必要であるか否かを判定する。収納カセット３００の使用の実績としては、収納カセット３００による紙幣の総搬送枚数、紙幣を繰り出すローラの総回転数、収納カセット３００の総着脱回数、ＩＣタグ３０４の記憶部に対する書込の回数などを用いることができる。
【００３２】
図１では、釣銭機２００から売上金を回収する場合の釣銭機２００及び貨幣入出金機１００の動作を示している。釣銭機２００から売上金を回収する場合には、まず釣銭機２００が売上金となる紙幣を収納カセット３００に収納し（１）、ＩＣタグ３０４の使用実績データを更新する（２）。具体的には、収納カセット３００に収納した紙幣の枚数を搬送枚数に加算し、紙幣の繰り出しに要したローラの回転数をローラ回転数に加算し、カセット着脱回数及びタグ書込回数に１を加算することで、使用実績データの更新を行う。
【００３３】
その後、レジ担当者が、収納カセット３００を釣銭機２００から取り外してバックヤードに運搬し（３）、バックヤードに所在する貨幣入出金機１００に収納カセット３００を装着する。貨幣入出金機１００は、装着された収納カセット３００から紙幣を繰り出し、紙幣の金種に対応する紙幣収納部１３４、１３６に収納することで入金を行う（４）。
【００３４】
さらに、貨幣入出金機１００は、ＩＣタグ３０４から使用実績データを読み出し（５）、入金の処理に係る更新を行った上で、収納カセット３００の交換の要否を判定する（６）。具体的には、収納カセット３００から繰り出した紙幣の枚数を搬送枚数に加算し、紙幣の繰り出しに要したローラの回転数をローラ回転数に加算し、カセット着脱回数及びタグ書込回数に１を加算することで使用実績データを更新した上で、搬送枚数、ローラ回転数、カセット着脱回数及びダグ書込回数に対してそれぞれ設定された交換閾値との比較を行う。
【００３５】
比較の結果、搬送枚数、ローラ回転数、カセット着脱回数又はダグ書込回数のいずれかが交換閾値に達していたならば、貨幣入出金機１００は、収納カセット３００の交換を推奨する報知を行う。貨幣入出金機１００は、店舗において使用されている複数の収納カセット３００について使用実績データを管理しており、複数の収納カセット３００のうち、使用の頻度が低い、すなわち使用実績の少ない収納カセット３００を交換先として指定して、収納カセット３００の交換を推奨する報知を行う。
【００３６】
このように、本実施例に係る貨幣処理システムは、釣銭機２００と貨幣入出金機１００との間で貨幣の授受を行うための収納カセット３００に不揮発性の記憶部を有するＩＣタグ３０４を設け、釣銭機２００及び貨幣入出金機１００に収納カセット３００が装着された場合にＩＣタグ３０４の使用実績データを更新し、貨幣入出金機１００が使用実績データに基づいて収納カセット３００の交換の要否を判定して報知を行うので、収納カセット３００を交換すべき時期を効率良く把握することができる。
【００３７】
このため、収納カセット３００が耐久限度である寿命に達して売上金や釣銭準備金の入出金ができなくなり、貨幣処理システムが停止する事態を防止可能である。
【００３８】
また、貨幣入出金機１００が複数の収納カセット３００の使用実績を統合管理し、使用頻度の高いレジで使用されている収納カセット３００を使用頻度の低いレジで使用されている収納カセット３００と交換させることができる。このため、複数の収納カセット３００の使用実績を平均化して効率的に運用し、新たな収納カセット３００を購入することなく貨幣処理システムを運用可能な期間を延ばすことができる。
【００３９】
＜貨幣入出金機１００及び釣銭機２００の構成＞
次に、この貨幣処理システムにおける貨幣入出金機１００及び釣銭機２００の構成について説明する。
【００４０】
まず、店舗のバックヤード領域に設けられた貨幣入出金機１００の構成について図２〜図７を用いて説明する。図２等に示すように、本実施例に係る貨幣入出金機１００は、略直方体形状の筐体１０１を備えており、この筐体１０１の内部には、紙幣の入金処理及び出金処理を行う紙幣処理ユニット１１０、硬貨の入金処理及び出金処理を行う硬貨処理ユニット１５０、及び包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図２に示すように、紙幣処理ユニット１１０及び硬貨処理ユニット１５０は、貨幣入出金機１００を手前側から見て左右に並ぶよう配置されており、これらの紙幣処理ユニット１１０及び硬貨処理ユニット１５０の下方に包装硬貨収納ユニット１８０が配置されている。
【００４１】
図２及び図３に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の紙幣収納部１３４、１３６とを備えている。なお、図３において、筐体１０１の右側の側面が紙幣処理ユニット１１０の手前側の面であり、図３における左向きの方向が紙幣処理ユニット１１０の奥行き方向である。
【００４２】
図３に示すように、搬送部１３０は、筐体１０１の上部における中央位置に配置された周回搬送部１３０ａ及び複数の接続搬送部１３０ｂから構成されている。また、紙幣受入部１２０、紙幣払出部１２２、出金リジェクト部１２４、後述する収納カセット３００を着脱自在に装着可能なカセット装着部１２６、回収カセット１４０及び２つの紙幣収納部１３４、１３６が、それぞれ、周回搬送部１３０ａを取り囲むよう配置されている。
【００４３】
また、図３に示すように、複数の接続搬送部１３０ｂの各々により、紙幣受入部１２０、紙幣払出部１２２、出金リジェクト部１２４、カセット装着部１２６、回収カセット１４０及び２つの紙幣収納部１３４、１３６の各々と、周回搬送部１３０ａとの間がそれぞれ接続されている。また、周回搬送部１３０ａには識別部１３２が設けられており、この識別部１３２は、周回搬送部１３０ａにより搬送される紙幣の金種、真偽、正損、表裏、搬送状態等の識別を行う。
【００４４】
周回搬送部１３０ａは、図３における時計回りの方向及び反時計回りの方向の両方向に紙幣を１枚ずつ搬送することができる。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００４５】
図２及び図３に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット３００をカセット装着部１２６に装着させたり、このカセット装着部１２６から収納カセット３００を取り出したりすることができる。
【００４６】
また、図５に示すように、カセット装着部１２６には、当該カセット装着部１２６に装着された収納カセット３００に付設されたＩＣタグ３０４に様々な情報を書き込む書込部１２８及びこのＩＣタグ３０４から様々な情報を読み取る読取部１２９が設けられている。書込部１２８によりＩＣタグ３０４に書き込まれる情報や読取部１２９によりＩＣタグ３０４から読み取られる情報の詳細については後述するが、このＩＣタグ３０４のメモリには収納カセット３００に収納された金種ごとの紙幣の枚数が記憶される。
【００４７】
紙幣受入部１２０には紙幣繰出機構１２１が設けられており、紙幣受入口１２０ａに１枚あるいは複数枚の紙幣が投入されたことが検知されると、紙幣繰出機構１２１が駆動されることにより、紙幣が接続搬送部１３０ｂを介して周回搬送部１３０ａ側へ１枚ずつ繰り出される。
【００４８】
紙幣払出部１２２は、各紙幣収納部１３４、１３６から周回搬送部１３０ａに繰り出された紙幣を紙幣取出口１２２ａにより筐体１０１の外部へ放出する。
【００４９】
出金リジェクト部１２４は、出金処理時において各紙幣収納部１３４、１３６から繰り出された紙幣のうち、重送や斜行等の搬送異常により識別部１３２で識別することができない紙幣を出金リジェクト紙幣として収納する。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却される。
【００５０】
各紙幣収納部１３４、１３６は、識別部１３２の識別結果に基づいて紙幣を金種別に収納する。これらの紙幣収納部１３４、１３６には、釣銭機２００への釣銭準備金の紙幣として貨幣入出金機１００から出金されるべき紙幣が収納される。例えば、紙幣収納部１３４には千円札が収納され、紙幣収納部１３６には五千円札が収納される。なお、一万円札は後述する回収カセット１４０に収納される。また、各紙幣収納部１３４、１３６には、それぞれ紙幣繰出機構１３５、１３７が設けられており、これらの紙幣収納部１３４、１３６に収納されている紙幣は、各紙幣繰出機構１３５、１３７により接続搬送部１３０ｂを介して周回搬送部１３０ａ側へ１枚ずつ繰り出される。
【００５１】
筐体１０１の内部における下部領域には回収カセット１４０が収容されており、警送会社により回収されるべき紙幣が回収カセット１４０に収納される。具体的には、識別部１３２により識別された紙幣が周回搬送部１３０ａから接続搬送部１３０ｂを経て回収カセット１４０に送られる。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができる。
【００５２】
次に、硬貨処理ユニット１５０の構成について説明する。図２及び図４に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００５３】
硬貨受入部１５２は、硬貨投入口を介して受け入れた硬貨を１層１列状態で１枚ずつ筐体１０１内に取り込む。具体的には、硬貨受入部１５２には繰出ベルト等からなる硬貨繰出機構１５３（図５参照）が設けられており、硬貨受入部１５２に受け入れられた硬貨を検知するとこの硬貨繰出機構１５３が駆動されることにより、当該硬貨繰出機構１５３によって硬貨が筐体１０１の内部に１枚ずつ繰り出される。また、図４に示すように、硬貨受入部１５２には、当該硬貨受入部１５２により筐体１０１の内部に繰り出された硬貨を搬送する入金搬送部１５４が接続されている。
【００５４】
図４に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、硬貨払出部１６６から払い出されるべき硬貨（リジェクト硬貨等）を入金搬送部１５４から分岐させて出金搬送部１６２へ案内する。
【００５５】
一方、筐体１０１内に収納されるべき硬貨（正常硬貨等）は、入金搬送部１５４により各収納繰出部１６０へ搬送される。収納繰出部１６０は、硬貨を金種別に収納するとともに収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部１６０が設けられており、入金搬送部１５４の上流側（すなわち、図４における下側）から低額順に各収納繰出部１６０に硬貨が金種毎に収納される。また、収納繰出部１６０には、当該収納繰出部１６０に収納された硬貨を１枚ずつ出金搬送部１６２に繰り出す硬貨繰出機構（図示せず）が設けられている。
【００５６】
出金搬送部１６２は、収納繰出部１６０から繰り出された硬貨を硬貨払出部１６６へ搬送する。また、出金搬送部１６２は、第１分岐部１５８により入金搬送部１５４から分岐させられたリジェクト硬貨等を硬貨払出部１６６へ搬送する。
【００５７】
筐体１０１の内部における下部領域には回収カセット１７０が収容されており、警送会社により回収されるべき硬貨が回収カセット１７０に収納される。具体的には、図４に示すように、出金搬送部１６２の途中箇所には第２分岐部１６４が設けられており、当該第２分岐部１６４により出金搬送部１６２から分岐させられた硬貨が回収カセット１７０に送られて、この回収カセット１７０に収納される。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができる。
【００５８】
＜貨幣入出金機１００における制御系の構成＞
次に、このような貨幣入出金機１００における制御系の構成について説明する。図５は、貨幣入出金機１００における制御系の構成を示すブロック図である。図５に示すように、貨幣入出金機１００の筐体１０１の内部には制御部１０２が設けられており、当該制御部１０２により紙幣処理ユニット１１０、硬貨処理ユニット１５０及び包装硬貨収納ユニット１８０の各々の構成部位が制御される。
【００５９】
具体的には、制御部１０２には、紙幣処理ユニット１１０の紙幣繰出機構１２１、搬送部１３０、識別部１３２、紙幣繰出機構１３５、１３７、カセット装着部１２６、書込部１２８、読取部１２９等が接続されており、識別部１３２による紙幣の識別情報や、収納カセット３００に設けられたＩＣタグ３０４から読取部１２９により読み取られた情報が制御部１０２に送られるとともに、制御部１０２は紙幣処理ユニット１１０の各構成部位に指令信号を送ることにより、これらの構成部位の制御を行う。
【００６０】
また、制御部１０２には、硬貨処理ユニット１５０の硬貨繰出機構１５３、入金搬送部１５４、識別部１５６、第１分岐部１５８、各収納繰出部１６０、出金搬送部１６２及び第２分岐部１６４等が接続されており、識別部１５６による硬貨の識別情報が制御部１０２に送られるとともに、制御部１０２は硬貨処理ユニット１５０の各構成部位に指令信号を送ることにより、これらの構成部位の制御を行う。
【００６１】
また、制御部１０２には、包装硬貨収納ユニット１８０のロック機構１８４及び重量計１８６等が接続されており、重量計１８６による包装硬貨の測定結果が制御部１０２に送られるとともに、制御部１０２はロック機構１８４に指令信号を送ることにより当該ロック機構１８４の制御を行う。
【００６２】
ロック機構１８４は、包装硬貨収納ユニット１８０の引出部を筐体１０１の内部にロックする機構であり、引出部が筐体１０１の内部にロックされている状態では当該引出部を筐体１０１の内部から手前側に引き出すことができず、包装硬貨の収納や取出しが制限される。重量計１８６は、包装硬貨収納ユニット１８０に収納されている包装硬貨の重量を測定する。このような重量計１８６により測定される包装硬貨の重量に基づいて、制御部１０２において包装硬貨収納ユニット１８０に収納されている包装硬貨の数が検知される。
【００６３】
また、図５に示すように、制御部１０２には、操作表示部１０４、通信部１０５、記憶部１０６及び在高管理部１０７がそれぞれ接続されている。
【００６４】
操作表示部１０４は、筐体１０１の上部に設けられたタッチパネル等からなり、操作者が操作するための操作画面や、紙幣処理ユニット１１０、硬貨処理ユニット１５０及び包装硬貨収納ユニット１８０の各々に収納されている貨幣の在高に係る情報が操作表示部１０４に表示される。また、このような操作表示部１０４において操作者は操作画面における操作ボタンに指を触れることによって制御部１０２に様々な指令を入力することができる。通信部１０５は、店舗の内外に設けられた各種装置と信号の送受信を行うことができる。
【００６５】
記憶部１０６には、紙幣処理ユニット１１０、硬貨処理ユニット１５０及び包装硬貨収納ユニット１８０の各々に収納されている貨幣の在高に係る情報や、貨幣入出金機１００における貨幣の処理履歴等の様々な情報が記憶される。また、収納カセット３００の交換閾値を示す閾値データ１０６ａと、店舗内で使用されている収納カセット３００を管理するカセット管理データ１０６ｂが記憶部１０６に記憶される。
【００６６】
さらに、制御部１０２は、カセット管理部１０２ａ、カセット交換報知部１０２ｂ及び交換先カセット特定部１０２ｃを有する。カセット管理部１０２ａは、収納カセット３００の識別情報に、収納カセット３００が使用されているレジの識別情報と、収納カセット３００の使用実績データとを対応付け、カセット管理データ１０６ｂとして記憶部１０６に格納する処理を行う。
【００６７】
また、カセット管理部１０２ａは、読取部１２９によりＩＣタグ３０４から使用実績データを読み取らせ、収納カセット３００からの出金や入金を行った場合には出金や入金に係る処理に応じて使用実績データを更新した上で、ＩＣタグ３０４の使用実績データ及びカセット管理データ１０６ｂの使用実績データを書き換える。
【００６８】
カセット交換報知部１０２ｂは、収納カセット３００の交換の要否を判定し、収納カセット３００の交換が必要と判定した場合に報知を行う処理部である。具体的には、カセット交換報知部１０２ｂは、カセット管理部１０２ａにより更新された使用実績データと、閾値データ１０６ａに示された交換閾値とを比較して判定を行う。
【００６９】
カセット交換報知部１０２ｂは、使用実績データの搬送枚数、ローラ回転数、カセット着脱回数又はダグ書込回数のいずれかが対応する交換閾値に達していたならば、収納カセット３００の交換を推奨する報知を行う。
【００７０】
交換先カセット特定部１０２ｃは、カセット交換報知部１０２ｂが収納カセット３００の交換を推奨する報知を行う場合に、カセット管理データ１０６ｂを参照し、他の収納カセット３００のうち、使用の頻度が低い、すなわち、使用実績データと交換閾値との差分が最も大きい収納カセット３００を交換先として特定する。そして、交換先として特定した収納カセット３００との交換を推奨する提示を報知の内容に加える。
【００７１】
次に、閾値データ１０６ａ及びカセット管理データ１０６ｂの一例について説明する。図６は、閾値データ１０６ａ及びカセット管理データ１０６ｂの一例を説明する説明図である。
【００７２】
図６に示すように、閾値データ１０６ａは、収納カセット３００の搬送枚数、ローラ回転数、カセット着脱回数及びタグ書込回数について、それぞれ使用上限値と交換閾値を対応付けたデータである。使用上限値は、設計上の上限値であり、耐久限度、すなわち収納カセット３００の寿命を示す値である。交換閾値は、使用上限値に対する所定の割合として算出されている。図６の例では、使用上限値の９割を交換閾値としているが、この割合は任意に定めることができる。また、搬送枚数、ローラ回転数、カセット着脱回数及びタグ書込回数について、異なる割合を用いてもよい。
【００７３】
具体的には、図６に示した閾値データ１０６ａは、搬送枚数の交換閾値を「２００００」とし、ローラ回転数の交換閾値を「８００００」とし、カセット着脱回数の交換閾値を「３００」とし、タグ書込回数の交換閾値を「５０００」としている。このため、搬送枚数の交換閾値は「１８０００」であり、ローラ回転数の交換閾値は「７２０００」であり、カセット着脱回数の交換閾値は「２７０」であり、タグ書込回数の交換閾値は「４５００」である。
【００７４】
カセット管理データ１０６ｂは、収納カセットの識別情報であるカセットＩＤに、レジの識別情報であるレジＩＤと、使用実績データとを対応付けたデータである。使用実績データには、搬送枚数、ローラ回転数、カセット着脱回数及びタグ書込回数が含まれる。
【００７５】
具体的には、図６に示したカセット管理データ１０６ｂは、カセットＩＤ「Ｃ００１」にレジＩＤ「Ｒ００１」、搬送枚数「１００００」、ローラ回転数「３６０００」、カセット着脱回数「２７」及びタグ書込回数「２８」を対応付けている。
【００７６】
また、カセットＩＤ「Ｃ００２」にレジＩＤ「Ｒ００２」、搬送枚数「１８０１０」、ローラ回転数「７００００」、カセット着脱回数「２４０」及びタグ書込回数「３３０」を対応付けている。
【００７７】
また、カセットＩＤ「Ｃ０２１」にレジＩＤ「Ｒ０１３」、搬送枚数「５０００」、ローラ回転数「６０００」、カセット着脱回数「１５」及びタグ書込回数「２１」を対応付けている。
【００７８】
＜釣銭機２００の構成＞
次に、釣銭機２００の詳細な構成について図７〜図１０を用いて説明する。図７等に示すように、本実施例による釣銭機２００は、上下に並ぶよう配置された硬貨処理ユニット２５０及び包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置される。紙幣処理ユニット２１０及び硬貨処理ユニット２５０は、それぞれ硬貨や紙幣の入出金処理を行う。また、包装硬貨収納ユニット２８０は、各金種の包装硬貨を取り出し可能に収納する。また、ＰＯＳレジスタ２９０は、釣銭機２００の管理を行う管理装置として用いられる。
【００７９】
まず、紙幣処理ユニット２１０の構成について図７及び図８を用いて具体的に説明する。図７及び図８に示すように、紙幣処理ユニット２１０は、略直方体形状の筐体２１２と、筐体２１２の前面側に設けられた紙幣受入部２２０と、筐体２１２の前面側において紙幣受入部２２０の下方に設けられた紙幣払出部２２２と、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備えている。なお、図８において、筐体２１２の右側の側面が紙幣処理ユニット２１０の手前側の面であり、図８における左向きの方向が紙幣処理ユニット２１０の奥行き方向である。
【００８０】
図８に示すように、搬送部２３０は、筐体２１２の中央位置に配置された周回搬送部２３０ａ及び複数の接続搬送部２３０ｂから構成されている。また、紙幣受入部２２０、紙幣払出部２２２、出金リジェクト部２２４、後述する収納カセット３００を着脱自在に装着可能なカセット装着部２２６及び３つの紙幣収納部２３４、２３６、２３８が、それぞれ周回搬送部２３０ａを取り囲むよう配置されている。
【００８１】
また、図８に示すように、複数の接続搬送部２３０ｂの各々により、紙幣受入部２２０、紙幣払出部２２２、出金リジェクト部２２４、カセット装着部２２６及び３つの紙幣収納部２３４、２３６、２３８の各々と、周回搬送部２３０ａとの間がそれぞれ接続される。また、周回搬送部２３０ａには識別部２３２が設けられており、この識別部２３２は、周回搬送部２３０ａにより搬送される紙幣の金種、真偽、正損、表裏、搬送状態等の識別を行う。
【００８２】
周回搬送部２３０ａは、図８における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００８３】
図７及び図８に示すように、筐体２１２の前面には、紙幣受入部２２０の紙幣受入口２２０ａと、紙幣払出部２２２の紙幣取出口２２２ａとがそれぞれ設けられている。また、カセット装着部２２６の前面側には扉２２６ａが設けられており、この扉２２６ａを開くことにより収納カセット３００をカセット装着部２２６に装着させたり、このカセット装着部２２６から収納カセット３００を取り出したりすることができる。
【００８４】
また、図１０に示すように、カセット装着部２２６には、当該カセット装着部２２６に装着された収納カセット３００に設けられているＩＣタグ３０４に様々な情報を書き込む書込部２２８及び当該ＩＣタグ３０４から様々な情報を読み取る読取部２２９がそれぞれ設けられている。
【００８５】
紙幣受入部２２０には紙幣繰出機構２２１が設けられており、紙幣受入口２２０ａに１枚あるいは複数枚の紙幣が投入されたことが検知されると、紙幣繰出機構２２１が駆動されることにより紙幣が接続搬送部２３０ｂを介して周回搬送部２３０ａ側へ１枚ずつ繰り出される。
【００８６】
紙幣払出部２２２は、各紙幣収納部２３４、２３６、２３８から周回搬送部２３０ａに繰り出された紙幣を紙幣取出口２２２ａにより筐体２１２の外部へ放出するよう構成されている。
【００８７】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納する。また、紙幣受入部２２０から筐体２１２の内部に取り込まれた紙幣のうち、入金処理時において汚損等により識別部２３２で識別することができない紙幣は、入金リジェクト紙幣として紙幣払出部２２２に返却される。
【００８８】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には千円札が収納され、紙幣収納部２３６には二千円札及び五千円札が混合状態で収納され、紙幣収納部２３８には一万円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【００８９】
次に、硬貨処理ユニット２５０の構成について説明する。図７及び図９に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【００９０】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図１０参照）が設けられており、硬貨受入部２５２に受け入れられた硬貨を検知すると、この硬貨繰出機構２５３が駆動されることにより当該硬貨繰出機構２５３によって硬貨が筐体２５１の内部に１枚ずつ繰り出される。また、図９に示すように、硬貨受入部２５２には、当該硬貨受入部２５２により筐体２５１の内部に繰り出された硬貨を搬送する入金搬送部２５４が接続されている。
【００９１】
図９に示すように、入金搬送部２５４の途中には、硬貨の金種、真偽、正損、表裏、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内する。
【００９２】
一方、正常硬貨等の筐体２５１内に収納されるべき硬貨は入金搬送部２５４により各収納繰出部２６０へ搬送される。収納繰出部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図９における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられている。
【００９３】
出金搬送部２６２は、収納繰出部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
【００９４】
＜ＰＯＳレジスタの構成＞
次に、ＰＯＳレジスタ２９０の構成について具体的に説明する。図７及び図１０に示すように、ＰＯＳレジスタ２９０は、ＰＯＳ制御部２９１と、ＰＯＳ制御部２９１にそれぞれ接続されたモニタ等の表示部２９３及び操作キー等の操作部２９４とを備えている。
【００９５】
操作部２９４は、操作者が操作することができるようになっており、ＰＯＳ制御部２９１に対して様々な指令を与えることができる。また、表示部２９３は、紙幣処理ユニット２１０や硬貨処理ユニット２５０における紙幣や硬貨の処理状況や、紙幣処理ユニット２１０や硬貨処理ユニット２５０に収納されている紙幣や硬貨の在高等の情報を表示する。また、ＰＯＳレジスタ２９０には、顧客が視認可能な追加の表示部２９３ａが設けられており、様々な情報を表示部２９３に表示させる代わりに、あるいは表示部２９３における表示に加えて、追加の表示部２９３ａにおいて表示が行われるようになっていてもよい。
【００９６】
また、ＰＯＳレジスタ２９０には、カードリーダ２９６及び印字部２９７が設けられている（図１０参照、図７では図示せず）。カードリーダ２９６は、レジ担当者等の操作者が携帯するＩＤカードを読み取ることにより、当該操作者のＩＤや権限等に関する情報を取得する。また、印字部２９７は、例えばプリンタから構成され、売上レシートや集計レシートに加えて、紙幣処理ユニット２１０や硬貨処理ユニット２５０に収納されている紙幣や硬貨の在高等の情報をレシートに印字する。
【００９７】
＜釣銭機２００の制御系の構成＞
次に、釣銭機２００の制御系の構成について図１０を用いて説明する。図１０に示すように、硬貨処理ユニット２５０は、上位制御部２０２及び硬貨制御部２５０ａを有しており、これらの上位制御部２０２及び硬貨制御部２５０ａは互いに接続されている。
【００９８】
また、紙幣処理ユニット２１０は紙幣制御部２１０ａを有しており、この紙幣制御部２１０ａは硬貨処理ユニット２５０の上位制御部２０２に接続されている。また、包装硬貨収納ユニット２８０は包装硬貨制御部２８０ａを有しており、この包装硬貨制御部２８０ａは硬貨処理ユニット２５０の上位制御部２０２に接続されている。また、ＰＯＳレジスタ２９０に設けられたＰＯＳ制御部２９１も硬貨処理ユニット２５０の上位制御部２０２に接続されている。また、図示していないが、ＰＯＳレジスタ２９０のＰＯＳ制御部２９１は店舗サーバ等の上位端末と通信可能に接続されている。
【００９９】
図１０に示すように、硬貨処理ユニット２５０の上位制御部２０２には、紙幣処理ユニット２１０、包装硬貨収納ユニット２８０及びＰＯＳレジスタ２９０の各々と通信を行うための通信部２０３、操作表示部２０４、カセットデータ更新部２０５及び記憶部２０８がそれぞれ接続されている。
【０１００】
この上位制御部２０２は、通信部２０３により、紙幣処理ユニット２１０の紙幣制御部２１０ａ、包装硬貨収納ユニット２８０の包装硬貨制御部２８０ａ及びＰＯＳレジスタ２９０のＰＯＳ制御部２９１に対して信号の送受信を行う。
【０１０１】
操作表示部２０４は、硬貨処理ユニット２５０の筐体２５１の上面に設けられたタッチパネル等からなり、操作者が操作するための操作画面や、紙幣処理ユニット２１０、硬貨処理ユニット２５０及び包装硬貨収納ユニット２８０の各々に収納されている貨幣の在高に係る情報が操作表示部２０４に表示される。このような操作表示部２０４において、操作者は、操作画面における操作ボタンに指を触れることによって、上位制御部２０２に様々な指令を入力することができる。
【０１０２】
カセットデータ更新部２０５は、紙幣処理ユニット２１０の読取部２２９によりＩＣタグ３０４から使用実績データを読み取らせ、収納カセット３００からの出金や入金を行った場合には出金や入金に係る処理に応じて使用実績データを更新する。そして、更新した使用実績データのＩＣタグ３０４への書き込みを紙幣処理ユニット２１０の書込部２２８に行わせる。
【０１０３】
記憶部２０８には、紙幣処理ユニット２１０、硬貨処理ユニット２５０及び包装硬貨収納ユニット２８０の各々に収納されている貨幣の在高に係る情報や、釣銭機２００における貨幣の処理履歴等の様々な情報が記憶される。
【０１０４】
また、紙幣処理ユニット２１０の紙幣制御部２１０ａには、通信部２４０、紙幣繰出機構２２１、搬送部２３０、識別部２３２、紙幣繰出機構２３５、２３７、２３９、カセット装着部２２６、書込部２２８、読取部２２９等が接続されており、識別部２３２による紙幣の識別情報や、収納カセット３００に設けられたＩＣタグ３０４から読取部２２９により読み取られた情報が紙幣制御部２１０ａに送られるとともに、紙幣制御部２１０ａは、紙幣処理ユニット２１０の各構成部位に指令信号を送ることにより、これらの構成部位の制御を行う。また、紙幣制御部２１０ａは、通信部２４０により、硬貨処理ユニット２５０の上位制御部２０２に対して信号の送受信を行う。
【０１０５】
また、硬貨処理ユニット２５０の硬貨制御部２５０ａには、硬貨繰出機構２５３、入金搬送部２５４、識別部２５６、分岐部２５８、各収納繰出部２６０及び出金搬送部２６２等が接続されており、識別部２５６による硬貨の識別情報が硬貨制御部２５０ａに送られるとともに、硬貨制御部２５０ａは硬貨処理ユニット２５０の各構成部位に指令信号を送ることにより、これらの構成部位の制御を行う。
【０１０６】
また、包装硬貨収納ユニット２８０の包装硬貨制御部２８０ａには、通信部２８９、検知部２８４、ロック機構２８６及び記憶部２８８等が接続されており、検知部２８４による包装硬貨の検知情報が包装硬貨制御部２８０ａに送られるとともに、包装硬貨制御部２８０ａはロック機構２８６に指令信号を送ることにより当該ロック機構２８６の制御を行う。
【０１０７】
検知部２８４は、光センサ等により包装硬貨収納ユニット２８０に収納されている包装硬貨の金種毎の本数を検知する。ロック機構２８６は、包装硬貨収納ユニット２８０の収納ドロアが筐体２８１に完全に収容されたときに当該収納ドロアを筐体２８１内にロックする機構である。ロック機構２８６が収納ドロアを筐体２８１の内部にロックしたときには、この収納ドロアを筐体２８１から手前側に引き出すことができなくなり、よって収納ドロア２８２から包装硬貨を取り出すことができなくなる。
【０１０８】
また、包装硬貨制御部２８０ａは、通信部２８９により、硬貨処理ユニット２５０の上位制御部２０２に対して信号の送受信を行う。また、包装硬貨収納ユニット２８０の収納ドロア２８２に収納されている包装硬貨の在高の情報等が記憶部２８８に記憶される。
【０１０９】
また、ＰＯＳレジスタ２９０のＰＯＳ制御部２９１には、表示部２９３、操作部２９４、記憶部２９５、通信部２９２、カードリーダ２９６、印字部２９７等がそれぞれ通信可能に接続されており、操作者により操作部２９４に入力された指令が当該操作部２９４からＰＯＳ制御部２９１に送られたり、カードリーダ２９６により読み取られたレジ担当者等の操作者のＩＤカードに係る情報がＰＯＳ制御部２９１に送られる。
【０１１０】
ＰＯＳ制御部２９１は、表示部２９３に指令を送ることにより、当該表示部２９３に様々な情報を表示させる。なお、ＰＯＳ制御部２９１は、表示部２９３に様々な情報を表示させる代わりに、あるいは表示部２９３における表示に加えて、追加の表示部２９３ａにおいて表示を行わせることもできる。
【０１１１】
また、ＰＯＳ制御部２９１は、印字部２９７に指令を送ることにより、当該印字部２９７により様々な情報をレシート等に印字させる。また、ＰＯＳ制御部２９１は、通信部２９２により、硬貨処理ユニット２５０の上位制御部２０２や店舗サーバ等の上位端末（図示せず）に対して信号の送受信を行う。
【０１１２】
記憶部２９５には、紙幣処理ユニット２１０や硬貨処理ユニット２５０等から送信された、紙幣処理ユニット２１０や硬貨処理ユニット２５０における硬貨や紙幣の処理状況や、紙幣処理ユニット２１０や硬貨処理ユニット２５０、包装硬貨収納ユニット２８０の内部に収納されている硬貨や紙幣、包装硬貨の在高等の様々な情報が記憶される。
【０１１３】
＜収納カセット３００の構成＞
次に、貨幣入出金機１００と釣銭機２００との間で紙幣の受け渡しを行うための収納カセット３００の構成について図１１を用いて説明する。図１１に示すように、収納カセット３００は、略直方体形状のケーシング３０１を有しており、当該ケーシング３０１の内部に紙幣が積層状態で収納される。また、上述したように、収納カセット３００は貨幣入出金機１００のカセット装着部１２６及び釣銭機２００のカセット装着部２２６にそれぞれ着脱自在に装着される。
【０１１４】
また、収納カセット３００のケーシング３０１の側面には開口３０２が形成されており、収納カセット３００が貨幣入出金機１００のカセット装着部１２６や釣銭機２００のカセット装着部２２６に装着されているときに、貨幣入出金機１００の紙幣処理ユニット１１０に設けられた搬送部１３０や釣銭機２００の紙幣処理ユニット２１０に設けられた搬送部２３０から当該開口３０２を介して紙幣が収納カセット３００の内部に送られたり、収納カセット３００に収納されている紙幣が開口３０２を介して貨幣入出金機１００の紙幣処理ユニット１１０の搬送部１３０や釣銭機２００の紙幣処理ユニット２１０の搬送部２３０に繰り出されたりする。
【０１１５】
より詳細には、収納カセット３００の内部には、当該収納カセット３００に収納されている紙幣を開口３０２からケーシング３０１の外部に繰り出す紙幣繰出機構が設けられている。また、収納カセット３００が貨幣入出金機１００のカセット装着部１２６や釣銭機２００のカセット装着部２２６に装着されているときに、貨幣入出金機１００の紙幣処理ユニット１１０側や釣銭機２００の紙幣処理ユニット２１０側から収納カセット３００の紙幣繰出機構に動力が伝達される。
【０１１６】
このように、収納カセット３００が貨幣入出金機１００のカセット装着部１２６や釣銭機２００のカセット装着部２２６から取り出された状態では当該収納カセット３００に収納されている紙幣をケーシング３０１の外部に繰り出させることができないため、収納カセット３００に収納されている紙幣のセキュリティ性を向上させることができる。
【０１１７】
また、収納カセット３００のケーシング３０１の側面にはＩＣタグ３０４が設けられている。そして、収納カセット３００が貨幣入出金機１００のカセット装着部１２６や釣銭機２００のカセット装着部２２６に装着されているときに、貨幣入出金機１００のカセット装着部１２６に設けられた書込部１２８や釣銭機２００のカセット装着部２２６に設けられた書込部２２８によりＩＣタグ３０４に様々な情報を書き込んだり、貨幣入出金機１００のカセット装着部１２６に設けられた読取部１２９や釣銭機２００のカセット装着部２２６に設けられた読取部２２９によりＩＣタグ３０４から様々な情報を読み取ったりすることができるようになっている。
【０１１８】
具体的には、ＩＣタグ３０４には、収納カセット３００の識別情報、収納カセット３００が使用されているレジの識別情報、収納カセット３００の使用実績データなどが書き込まれる。図１２は、ＩＣタグ３０４に書き込まれるＩＣタグデータ３０４ａの一例を説明する説明図である。
【０１１９】
図１２に示すように、ＩＣタグデータ３０４ａは、収納カセットの識別情報であるカセットＩＤに、レジの識別情報であるレジＩＤと、使用実績データとを対応付けたデータである。使用実績データには、搬送枚数、ローラ回転数、カセット着脱回数及びタグ書込回数が含まれる。
【０１２０】
具体的には、図１２に示したＩＣタグデータ３０４ａは、カセットＩＤ「Ｃ００１」にレジＩＤ「Ｒ００１」、搬送枚数「１００００」、ローラ回転数「３６０００」、カセット着脱回数「２７」及びタグ書込回数「２８」を対応付けている。
【０１２１】
＜貨幣入出金機の処理手順＞
次に、貨幣処理システムの動作について説明する。図１３は、貨幣処理システムの動作の説明図である。まず、貨幣入出金機１００は、閾値データ１０６ａを記憶部１０６に格納する（ステップＳ１１）。次に、釣銭機２００が収納カセット３００に対する紙幣の入出金を行い（ステップＳ２１）、ＩＣタグ３０４の使用実績データを更新する（ステップＳ２２）。
【０１２２】
その後、収納カセット３００は釣銭機２００から取り外して運搬され、貨幣入出金機１００に装着される。貨幣入出金機１００は、収納カセット３００に対する紙幣の入出金処理を行い（ステップＳ１２）、ＩＣタグ３０４の使用実績データを更新し（ステップＳ１３）、使用実績データと閾値データ１０６ａに基づき、必要に応じて収納カセットの交換に係る報知を行う（ステップＳ１４）。
【０１２３】
その後、収納カセット３００は貨幣入出金機１００から取り外して運搬され、釣銭機２００に装着される。以降、釣銭機２００による入出金（ステップＳ２３）、使用実績データ更新（ステップＳ２４）、収納カセットの運搬、貨幣入出金機１００による入出金（ステップＳ１５）、使用実績データ更新（ステップＳ１６）及び報知（ステップＳ１７）が繰り返されることになる。
【０１２４】
＜貨幣入出金機の処理手順＞
次に、貨幣入出金機１００の処理手順について説明する。図１４は、貨幣入出金機１００の処理手順を示すフローチャートである。まず、収納カセット３００がカセット装着部１２６に装着されると、紙幣処理ユニット１１０が収納カセット３００の紙幣繰出機構を動作させて収納カセット３００から紙幣を繰り出し、繰り出した紙幣を金種に対応する紙幣収納部１３４、１３６に搬送して収納することで入金を行う（ステップＳ１０１）。また、読取部１２９は、収納カセット３００のＩＣタグ３０４から使用実績データを読み出す（ステップＳ１０２）。
【０１２５】
カセット管理部１０２ａは、読取部１２９により読み出された使用実績データを入金に係る処理に応じて更新する（ステップＳ１０３）。具体的には、収納カセット３００から繰り出した紙幣の枚数を搬送枚数に加算し、紙幣の繰り出しに要したローラの回転数をローラ回転数に加算し、カセット着脱回数及びタグ書込回数に１を加算することで使用実績データを更新する。なお、カセット管理部１０２ａは、更新した使用実績データでＩＣタグ３０４の使用実績データ及びカセット管理データ１０６ｂの使用実績データを書き換える。
【０１２６】
カセット交換報知部１０２ｂは、カセット管理部１０２ａにより更新された使用実績データと、閾値データ１０６ａに示された交換閾値とを比較し、使用実績データの搬送枚数、ローラ回転数、カセット着脱回数又はダグ書込回数のいずれかが対応する交換閾値に到達したか否かを判定する（ステップＳ１０４）。
【０１２７】
使用実績データの搬送枚数、ローラ回転数、カセット着脱回数又はダグ書込回数のいずれかが対応する交換閾値に到達したならば（ステップＳ１０４；Ｙｅｓ）、カセット交換報知部１０２ｂは、カセット交換処理を行って（ステップＳ１０７）、処理を終了する。このカセット交換処理の詳細については後述する。
【０１２８】
使用実績データの搬送枚数、ローラ回転数、カセット着脱回数又はダグ書込回数のいずれも対応する交換閾値に到達していなければ（ステップＳ１０４；Ｎｏ）、紙幣処理ユニット１１０は、紙幣収納部１３４、１３６から釣銭準備金としての紙幣を繰り出して収納カセット３００に収納することで出金を行う（ステップＳ１０５）。
【０１２９】
カセット管理部１０２ａは、使用実績データを出金に係る処理に応じて更新する。具体的には、収納カセット３００に収納した紙幣の枚数を搬送枚数に加算し、紙幣の収納に要したローラの回転数をローラ回転数に加算し、タグ書込回数に１を加算することで使用実績データを更新し、ＩＣタグ３０４の使用実績データ及びカセット管理データ１０６ｂの使用実績データを書き換えて（ステップＳ１０６）、処理を終了する。
【０１３０】
なお、出金時には、カセット着脱回数を加算しないこととしている。また、釣銭準備金の出金を行わない場合には、出金に係る搬送枚数及びローラ回転数の加算は行われない。このため、使用実績データの更新が不要となり、タグ書込回数の加算も実行しない。さらに、収納カセット３００に紙幣を収納する際に収納カセット３００の紙幣繰出機構を動作させる必要がなければ、出金を行う場合でも搬送枚数及びローラ回転数の加算は不要であるため、ステップＳ１０５及びステップＳ１０６を省略することができる。
【０１３１】
＜カセット交換処理＞
次に、図１４に示したカセット交換処理の詳細について説明する。図１５は、カセット交換処理の処理手順を示すフローチャートである。カセット交換処理が開始されると、交換先カセット特定部１０２ｃは、カセット管理データ１０６ｂを参照し、装着中の収納カセット３００、すなわち交換元の収納カセット３００以外の収納カセット３００のうち、使用の頻度が低い、すなわち、使用実績データと交換閾値との差分が最も大きい収納カセット３００を交換先として特定する（ステップＳ２０１）。
【０１３２】
例えば、交換元の収納カセットの搬送枚数が交換閾値を超えたならば、他の収納カセット３００の内、搬送枚数が最も小さい収納カセット３００を交換先として特定する。このとき、搬送枚数、ローラ回転数、カセット着脱回数、タグ書込回数のいずれも交換閾値に達していないことを交換先として特定する条件としてもよい。なお、搬送枚数、ローラ回転数、カセット着脱回数、タグ書込回数から収納カセット３００の使用実績の評価値を算出し、評価値の最も小さい収納カセット３００を交換先として特定するなど、任意の評価方法で交換先を特定することができる。
【０１３３】
ステップＳ２０１の後、カセット交換報知部１０２ｂは、装着中である交換元の収納カセット３００と交換先の収納カセット３００との交換を推奨する画面を操作表示部１０４に表示制御する（ステップＳ２０２）。
【０１３４】
ステップＳ２０２の後、カセット交換報知部１０２ｂは、収納カセット３００の交換開始を示す操作を受け付けたか否かを判定する（ステップＳ２０３）。交換開始を示す操作を受け付けたならば（ステップＳ２０３；Ｙｅｓ）、カセット交換報知部１０２ｂは、装着中である交換元の収納カセット３００のレジＩＤを書き換えるための操作画面を表示する（ステップＳ２０４）。
【０１３５】
ステップＳ２０４の後、カセット交換報知部１０２ｂは、書換実行操作を受け付けたか否かを判定する（ステップＳ２０５）。書換実行操作を受け付けたならば（ステップＳ２０５；Ｙｅｓ）、カセット交換報知部１０２ｂは、装着中である交換元の収納カセットのレジＩＤを交換先の収納カセット３００のレジＩＤに書き換える（ステップＳ２０６）。このレジＩＤの書換は、ＩＣタグ３０４のＩＣタグデータ３０４ａ及び記憶部１０６のカセット管理データ１０６ｂに対して行われる。
【０１３６】
ステップＳ２０６の後、カセット交換報知部１０２ｂは、交換先の収納カセット３００の装着を求める画面を表示し（ステップＳ２０７）、交換先の収納カセット３００が装着されたか否かを判定する（ステップＳ２０８）。交換先の収納カセット３００が装着されていなければ（ステップＳ２０８；Ｎｏ）、ステップＳ２０８に移行することで、交換先の収納カセット３００の装着を待機する。
【０１３７】
交換先の収納カセット３００が装着されたならば（ステップＳ２０８；Ｙｅｓ）、カセット交換報知部１０２ｂは、装着中となった交換先の収納カセット３００のレジＩＤを書き換えるための操作画面を表示する（ステップＳ２０９）。
【０１３８】
ステップＳ２０９の後、カセット交換報知部１０２ｂは、書換実行操作を受け付けたか否かを判定する（ステップＳ２１０）。書換実行操作を受け付けたならば（ステップＳ２１０；Ｙｅｓ）、カセット交換報知部１０２ｂは、装着中である交換先の収納カセットのレジＩＤを交換元の収納カセット３００に対応付けられていたレジＩＤに書き換える（ステップＳ２１１）。このレジＩＤの書換は、ＩＣタグ３０４のＩＣタグデータ３０４ａ及び記憶部１０６のカセット管理データ１０６ｂに対して行われる。
【０１３９】
ステップＳ２１１の後、交換開始を示す操作を受け付けなかった場合（ステップＳ２０３；Ｎｏ）、交換元についてレジＩＤの書換実行操作を受け付けなかった場合（ステップＳ２０５；Ｎｏ）、若しくは交換先についてレジＩＤの書換実行操作を受け付けなかった場合（ステップＳ２１０；Ｎｏ）、カセット交換報知部１０２ｂは、カセット交換処理を終了する。
【０１４０】
次に、カセット交換処理における画面例について説明する。図１６は、カセット交換処理における画面例の説明図である。図１６（ａ）は、図１５のステップＳ２０２において表示制御される画面例である。この画面例では、「収納カセットの使用実績が交換の目安に達しています。（収納カセットＩＤ  Ｃ００２）。１３番レジのカセットと交換して下さい。」とのメッセージと、「交換する」及び「交換しない」の操作ボタンが表示されている。この「交換する」の操作ボタンに対する操作が、交換開始を示す操作となる。
【０１４１】
「交換する」の操作ボタンが操作されると、図１６（ｂ）に示す操作画面が表示される。この操作画面は、交換元の収納カセット３００のレジＩＤを書き換えるための操作画面であり、図１５のステップＳ２０４において表示制御される画面に対応する。
【０１４２】
具体的には、図１６（ｂ）に示す操作画面では、「収納カセット（Ｃ００２）のレジＩＤを書き換えますか？」とのメッセージと「はい」及び「いいえ」の操作ボタンが表示されている。この「はい」の操作ボタンに対する操作が、書換実行操作となる。
【０１４３】
「はい」の操作ボタンが操作されると、交換元の収納カセット３００のレジＩＤが書き換えられ、図１６（ｃ）に示す画面が表示される。この画面は、交換先として選択した収納カセット３００の装着を求める画面であり、図１５のステップＳ２０７において表示制御される画面に対応する。
【０１４４】
具体的には、図１６（ｃ）に示す操作画面では、「１３番レジの収納カセット（Ｃ０２１）をセットしてください」とのメッセージが表示されている。
【０１４５】
操作者が１３番レジ、すなわちレジＩＤ「Ｒ１３」の釣銭機２００からカセットＩＤ「Ｃ０２１」の収納カセット３００を取り外し、貨幣入出金機１００に装着すると、図１６（ｄ）に示す操作画面が表示される。この操作画面は、交換先の収納カセット３００のレジＩＤを書き換えるための操作画面であり、図１５のステップＳ２０９において表示制御される画面に対応する。
【０１４６】
具体的には、図１６（ｄ）に示す操作画面では、「収納カセット（Ｃ０２１）のレジＩＤを書き換えますか？」とのメッセージと「はい」及び「いいえ」の操作ボタンが表示されている。この「はい」の操作ボタンに対する操作が、書換実行操作となる。そして、「はい」の操作ボタンが操作されると、交換先の収納カセット３００のレジＩＤが書き換えられる。このように、交換元の収納カセット３００のレジＩＤと交換先の収納カセット３００のレジＩＤとを書き換えることで、レジＩＤの入れ換えが行われる。以降は、交換元の収納カセット３００と交換先の収納カセット３００は、新たなレジＩＤに基づいて使用されるので、耐久限度に近づいた交換元の収納カセット３００を使用頻度の少ないレジで使用することができる。
【０１４７】
＜釣銭機が使用実績に基づいて収納カセットの交換の要否を判定する構成＞
これまでの説明では、貨幣入出金機１００が使用実績に基づいて収納カセット３００の交換の要否を判定する構成を例に説明を行ったが、釣銭機２００が使用実績に基づいて収納カセット３００の交換の要否を判定する構成としてもよい。
【０１４８】
図１７は、釣銭機が使用実績に基づいて収納カセットの交換の要否を判定する構成の説明図である。
【０１４９】
図１７では、貨幣入出金機１００ａから釣銭機２００ａに釣銭準備金を補充する場合の釣銭機２００ａ及び貨幣入出金機１００ａの動作を示している。貨幣入出金機１００ａから釣銭機２００ａに釣銭準備金を補充する場合には、まず貨幣入出金機１００ａが釣銭準備金としての紙幣を収納カセット３００に収納し（１）、ＩＣタグ３０４の使用実績データを更新する（２）。具体的には、収納カセット３００に収納した紙幣の枚数を搬送枚数に加算し、紙幣の繰り出しに要したローラの回転数をローラ回転数に加算し、カセット着脱回数及びタグ書込回数に１を加算することで、使用実績データの更新を行う。
【０１５０】
その後、収納カセット３００は貨幣入出金機１００ａから取り外されてレジまで運搬され（３）、レジに所在する釣銭機２００ａに装着される。釣銭機２００ａは、装着された収納カセット３００から紙幣を繰り出し、紙幣の金種に対応する紙幣収納部２３４、２３６、２３８に収納することで入金を行う（４）。
【０１５１】
さらに、釣銭機２００ａは、ＩＣタグ３０４から使用実績データを読み出し（５）、入金の処理に係る更新を行った上で、収納カセット３００の交換の要否を判定する（６）。具体的には、収納カセット３００から繰り出した紙幣の枚数を搬送枚数に加算し、紙幣の繰り出しに要したローラの回転数をローラ回転数に加算し、カセット着脱回数及びタグ書込回数に１を加算することで使用実績データを更新した上で、搬送枚数、ローラ回転数、カセット着脱回数及びダグ書込回数に対してそれぞれ設定された交換閾値との比較を行う。
【０１５２】
比較の結果、搬送枚数、ローラ回転数、カセット着脱回数又はダグ書込回数のいずれかが交換閾値に達していたならば、釣銭機２００ａは、収納カセット３００の交換を推奨する報知を行う。
【０１５３】
このように、釣銭機２００ａが使用実績データに基づいて収納カセット３００の交換の要否を判定して報知を行うことにより、収納カセット３００を交換すべき時期を効率良く把握することができる。
【０１５４】
かかる構成では、釣銭機２００ａは、閾値データを記憶部２０８に保持し、収納カセット３００の交換の要否の判定と報知を行う処理部をさらに備えることになる。また、貨幣入出金機１００ａは、使用実績データを更新することができればよく、カセットの管理に関する処理部やデータを持たなくとも良い。
【０１５５】
なお、カセットの管理に関する処理部やデータを有する貨幣入出金機１００と釣銭機２００ａとを用いる構成とすれば、貨幣入出金機１００と釣銭機２００ａの双方で使用実績に基づいた収納カセット３００の交換の要否を判定することが可能である。
【０１５６】
＜管理サーバを用いる変形例＞
これまでの説明では、貨幣入出金機１００や釣銭機２００ａが閾値データ１０６ａを保持し、使用実績データと比較することで収納カセット３００の交換の要否を判定する構成について説明したが、係る貨幣入出金機１００や釣銭機２００ａの機能を他の装置に行わせるように構成してもよい。
【０１５７】
図１８は、閾値データを管理サーバ４００が保持する構成の説明図である。図１８に示した構成では、貨幣入出金機５００は、管理サーバ４００と通信可能に接続されている。釣銭機６００が売上金となる紙幣を収納した収納カセット３００を貨幣入出金機５００に装着すると（１）、貨幣入出金機５００は、紙幣を入金するとともに、ＩＣタグ３０４から使用実績データを読み出す（２）。
【０１５８】
さらに、貨幣入出金機５００は、管理サーバ４００から閾値データを受信する（３）。貨幣入出金機５００は、ＩＣタグ３０４から読み出した使用実績データに入金の処理に係る更新を行った上で、管理サーバ４００から受信した閾値データと比較することで、収納カセット３００の交換の要否を判定する（４）。判定の結果、収納カセット３００の交換が必要であると判定したならば、貨幣入出金機５００は、収納カセット３００の交換を推奨する報知を行う。
【０１５９】
このように、貨幣入出金機５００が管理サーバ４００から閾値データを取得する構成とすれば、貨幣入出金機５００は閾値データを保持する必要が無く、閾値データを一元管理することができる。なお、釣銭機６００と管理サーバ４００を接続し、釣銭機６００が管理サーバ４００から閾値データを取得してＩＣタグ３０４から読み出した使用実績データと比較し、収納カセット３００の交換を推奨する報知を行うことも可能である。
【０１６０】
図１９は、閾値データの保持と収納カセット３００の交換の要否の判定を管理サーバ４００ａが行う構成の説明図である。図１９に示した構成では、貨幣入出金機５００ａは、管理サーバ４００ａと通信可能に接続されている。釣銭機６００ａが売上金となる紙幣を収納した収納カセット３００を貨幣入出金機５００ａに装着すると（１）、貨幣入出金機５００ａは、紙幣を入金するとともに、ＩＣタグ３０４から使用実績データを読み出す（２）。
【０１６１】
さらに、貨幣入出金機５００ａは、ＩＣタグ３０４から読み出した使用実績データに入金の処理に係る更新を行った上で管理サーバ４００ａに送信する（３）。管理サーバ４００ａは、貨幣入出金機５００ａから受信した使用実績データと、自装置が保持する閾値データと比較することで、収納カセット３００の交換の要否を判定する（４）。管理サーバ４００ａは、判定の結果を貨幣入出金機５００ａに通知する（５）。貨幣入出金機５００ａは、収納カセット３００の交換が必要であるとの判定結果を通知されたならば、収納カセット３００の交換を推奨する報知を行う（６）。
【０１６２】
このように、管理サーバ４００ａが閾値データの保持と収納カセット３００の交換の要否の判定とを行う構成とすれば、貨幣入出金機５００ａの処理負荷を軽減することができる。なお、釣銭機６００ａと管理サーバ４００ａを接続し、釣銭機６００ａが管理サーバ４００ａに使用実績データを送信し、管理サーバ４００ａから判定結果通知を受けて収納カセット３００の交換を推奨する報知を行うことも可能である。
【０１６３】
図２０は、閾値データ及び使用実績データに係る処理を管理サーバ４００ｂが行う構成の説明図である。図２０に示した構成では、ＩＣタグ３０４にカセットＩＤが格納されているが、使用実績データの格納は不要である。
【０１６４】
貨幣入出金機５００ｂは、管理サーバ４００ａと通信可能に接続されており、釣銭機６００ｂが売上金となる紙幣を収納した収納カセット３００を貨幣入出金機５００ｂに装着すると（１）、紙幣を入金するとともに、ＩＣタグ３０４からカセットＩＤを読み出す（２）。
【０１６５】
さらに、貨幣入出金機５００ｂは、ＩＣタグ３０４から読み出したカセットＩＤに入金の処理内容を示すデータを付して、管理サーバ４００ｂに送信する（３）。管理サーバ４００ｂは、閾値データを保持するとともに、各収納カセット３００の使用実績データをカセットＩＤに対応付けて保持している。
【０１６６】
管理サーバ４００ｂは、貨幣入出金機５００ｂからカセットＩＤと入金の処理内容を示すデータとを受信すると、自装置が保持する使用実績データを更新する（４）。そして、更新した使用実績データと、自装置が保持する閾値データと比較することで、収納カセット３００の交換の要否を判定する（５）。管理サーバ４００ｂは、判定の結果を貨幣入出金機５００ｂに通知する（６）。貨幣入出金機５００ｂは、収納カセット３００の交換が必要であるとの判定結果を通知されたならば、収納カセット３００の交換を推奨する報知を行う（７）。
【０１６７】
このように、閾値データ及び使用実績データに係る処理を管理サーバ４００ｂが行う構成とすれば、貨幣入出金機５００ａの処理負荷を軽減し、使用実績データ及び閾値データを一元管理することができる。なお、釣銭機６００ｂと管理サーバ４００ｂを接続し、釣銭機６００ｂが管理サーバ４００ｂにカセットＩＤと入金の処理内容を示すデータを送信し、管理サーバ４００ｂから判定結果通知を受けて収納カセット３００の交換を推奨する報知を行うことも可能である。
【０１６８】
上述してきたように、本実施例に係る貨幣処理システムでは、釣銭機２００と貨幣入出金機１００との間で貨幣の授受を行うための収納カセット３００に不揮発性の記憶部を有するＩＣタグ３０４を設け、釣銭機２００及び貨幣入出金機１００に収納カセット３００が装着された場合にＩＣタグ３０４の使用実績データを更新し、貨幣入出金機１００が使用実績データに基づいて収納カセット３００の交換の要否を判定して報知を行うので、収納カセット３００を交換すべき時期を効率良く把握することができる。
【０１６９】
このため、収納カセット３００が耐久限度である寿命に達して売上金や釣銭準備金の入出金ができなくなり、貨幣処理システムが停止する事態を防止可能である。
【０１７０】
また、貨幣入出金機１００が複数の収納カセット３００の使用実績を統合管理し、使用頻度の高いレジで使用されている収納カセット３００を使用頻度の低いレジで使用されている収納カセット３００と交換させることができる。このため、複数の収納カセット３００の使用実績を平均化して効率的に運用し、新たな収納カセット３００を購入することなく貨幣処理システムを運用可能な期間を延ばすことができる。
【０１７１】
また、閾値データの保持や使用実績データに係る処理を釣銭機や管理サーバに行わせる構成であっても、同様の効果を実現することができる。
【０１７２】
なお、上述した貨幣処理システム、及びこのような貨幣処理システムに設けられた貨幣処理装置や釣銭機は、上述したような態様に限定されることはなく、様々な変更を加えることができる。
【０１７３】
例えば、複数の収納カセット３００をグループに分け、収納カセット３００の交換は、同一のグループに属する収納カセット３００間で行うようにしてもよい。かかる構成を用いれば、グループ毎に使用実績を均等化することができ、グループ単位で収納カセット３００の使用停止や新規追加を行うことが可能となる。
【０１７４】
また、複数の収納カセット３００には、予備の収納カセット３００が含まれていてもよい。予備の収納カセット３００は、レジＩＤが対応付けられていない状態となるが、交換先として選択することができる。
【０１７５】
また、全ての収納カセット３００の使用実績が交換閾値に到達した場合など、交換先の収納カセット３００が選択できない場合には、操作者に報知を行うように構成してもよい。
【０１７６】
また、本実施例では、搬送枚数、ローラ回転数、カセット着脱回数及びタグ書込回数を使用実績として用いる場合を例に説明を行ったが、これらを全て用いる必要は無く、一部のみを用いてもよい。また、他のパラメータを使用実績として用いることもできる。
【０１７７】
また、交換閾値は、適宜変更することができる。例えば、交換閾値への到達前であっても、エラーの発生頻度が上昇した場合には、対応する交換閾値を下げることで交換時期を早めてもよい。具体的には、発生したエラーに対応する交換閾値を変更することが望ましい。すなわち、搬送に関するエラーの発生頻度が上昇した場合には、搬送枚数の交換閾値を下げ、ＩＣタグ３０４の読み書きに関するエラーの発生頻度が上昇した場合には、タグ書込回数の交換閾値を下げればよい。
【０１７８】
また、発生したエラーの履歴をＩＣタグ３０４に書き込んで管理してもよい。また、収納カセット３００の使用を禁止する使用禁止閾値をさらに設け、使用実績が使用禁止閾値に達した収納カセット３００については、交換ではなく、使用を禁止してもよい。使用の禁止は、ＩＣタグ３０４に使用禁止を示す情報を書き込むことで行うことができる。
【０１７９】
また、使用実績が交換閾値に近づいた収納カセット３００のＩＣタグ３０４に書き込まれていたデータについては、貨幣入出金機１００がバックアップを保持するようにしてもよい。
【０１８０】
また、上記の実施例では、本発明を店舗のバックヤードに設けた貨幣入出金機に適用した場合を示したが、本発明はこれに限定されるものではなく、各種の貨幣処理装置に適用することができる。
【０１８１】
また、硬貨の収納及び収納されている硬貨の繰り出しを行う硬貨収納カセットが貨幣入出金機１００及び釣銭機２００にそれぞれ着脱自在に装着されるようになっていてもよい。
【０１８２】
この場合には、貨幣入出金機１００と釣銭機２００との間でこのような硬貨収納カセットにより硬貨の受け渡しを行うことができるようになるため、釣銭機２００から回収された売上金としての硬貨や貨幣入出金機１００から出金された釣銭機２００に釣銭準備金として補充されるべき硬貨を操作者の手に触れさせないようにすることができるため、セキュリティ性を高めることができる。
【産業上の利用可能性】
【０１８３】
本発明の貨幣処理システム及び貨幣処理方法は、収納カセットを介して釣銭機と貨幣入出金機との間で貨幣を移行させる貨幣処理システムにおいて、収納カセットを交換すべき時期を効率良く把握することに有用である。
【符号の説明】
【０１８４】
１００、１００ａ、５００、５００ａ、５００ｂ  貨幣入出金機
１０１    筐体
１０２    制御部
１０２ａ  カセット管理部
１０２ｂ  カセット交換報知部
１０２ｃ  交換先カセット特定部
１０４    操作表示部
１０５    通信部
１０６    記憶部
１０６ａ  閾値データ
１０６ｂ  カセット管理データ
１０７    在高管理部
１１０    紙幣処理ユニット
１２０    紙幣受入部
１２０ａ  紙幣受入口
１２１    紙幣繰出機構
１２２    紙幣払出部
１２２ａ  紙幣取出口
１２４    出金リジェクト部
１２６    カセット装着部
１２６ａ、１４０ａ、１７０ａ  扉
１２８    書込部
１２９    読取部
１３０    搬送部
１３０ａ  周回搬送部
１３０ｂ  接続搬送部
１３２    識別部
１３４、１３６  紙幣収納部
１３５、１３７  紙幣繰出機構
１４０    回収カセット
１５０    硬貨処理ユニット
１５２    硬貨受入部
１５３    硬貨繰出機構
１５４    入金搬送部
１５６    識別部
１５８    第１分岐部
１６０    収納繰出部
１６２    出金搬送部
１６４    第２分岐部
１６６    硬貨払出部
１７０    回収カセット
１８０    包装硬貨収納ユニット
２００、２００ａ、６００ａ、６００ｂ  釣銭機
２０２    上位制御部
２０３    通信部
２０４    操作表示部
２０５    カセットデータ更新部
２０８    記憶部
２１０    紙幣処理ユニット
２１０ａ  紙幣制御部
２１２    筐体
２２０    紙幣受入部
２２０ａ  紙幣受入口
２２１    紙幣繰出機構
２２２    紙幣払出部
２２２ａ  紙幣取出口
２２４    出金リジェクト部
２２６    カセット装着部
２２８    書込部
２２９    読取部
２３０    搬送部
２３０ａ  周回搬送部
２３０ｂ  接続搬送部
２３２    識別部
２３４、２３６、２３８  紙幣収納部
２３５、２３７、２３９  紙幣繰出機構
２４０    通信部
２５０    硬貨処理ユニット
２５０ａ  硬貨制御部
２５２    硬貨受入部
２５３    硬貨繰出機構
２５４    入金搬送部
２５６    識別部
２５８    分岐部
２６０    収納繰出部
２６２    出金搬送部
２６６    硬貨払出部
２８０    包装硬貨収納ユニット
２８０ａ  包装硬貨制御部
２８４    検知部
２８６    ロック機構
２８８    記憶部
２８９    通信部
２９０    ＰＯＳレジスタ
２９１    ＰＯＳ制御部
２９２    通信部
２９３    表示部
２９４    操作部
２９５    記憶部
２９６    カードリーダ
２９７    印字部
３００    収納カセット
３０１    ケーシング
３０２    開口
３０４    ＩＣタグ
３０４ａ  ＩＣタグデータ
４００、４００ａ、４００ｂ  管理サーバ
【図１】
2018013892.tif 000003
【図２】
2018013892.tif 000004
【図３】
2018013892.tif 000005
【図４】
2018013892.tif 000006
【図５】
2018013892.tif 000007
【図６】
2018013892.tif 000008
【図７】
2018013892.tif 000009
【図８】
2018013892.tif 000010
【図９】
2018013892.tif 000011
【図１０】
2018013892.tif 000012
【図１１】
2018013892.tif 000013
【図１２】
2018013892.tif 000014
【図１３】
2018013892.tif 000015
【図１４】
2018013892.tif 000016
【図１５】
2018013892.tif 000017
【図１６】
2018013892.tif 000018
【図１７】
2018013892.tif 000019
【図１８】
2018013892.tif 000020
【図１９】
2018013892.tif 000021
【図２０】
2018013892.tif 000022